(57)【要約】      （修正有）【課題】初心者でも剃刀に適切なポリッシングを簡単に行え、また、作業に大きな空間を必要としない、革砥に替るポリッシング用砥具を提供する。【解決手段】基台２と研磨シート３を備えたポリッシング用砥具である。基台２は表側と裏側に凹弧面４，５をそれぞれ有する。表側の凹弧面の直径は、裏側の凹弧面の直径よりも小さくされている。表側の凹弧面４が柔肌用の当たりを得るものとされ、裏側の凹弧面５は剛肌用の当たりを得るものとされている。研磨シート３は表面を研磨面とした柔軟なシートである。基台２の凹弧面４，５に研磨シート３がそれぞれの凹弧面４，５に密着して取り付けられている。【選択図】図３
0003206688.tif 000002
【実用新案登録請求の範囲】
【請求項１】
剃刀の刃をポリッシングするための砥具であって、
基台と研磨シートを備え、
基台は表側と裏側に円筒形の一部である凹弧面が、基台の長手方向中央を低くしてそれぞれ形成されており、
表側の凹弧面を構成する円筒形の直径は、裏側の凹弧面を構成する円筒形の直径よりも小さくされて、表の凹弧面が柔肌用の当たりを得るものとされ、裏側の凹弧面は剛肌用の当たりを得るものとされており、
研磨シートは表面を研磨面とした柔軟なシートであり、
基台の表裏に研磨シートをそれぞれの凹弧面に密着させて取り付けてあることを特徴としたポリッシング用砥具。
【請求項２】
研磨シートは、研磨面とするセーム皮の裏面にクッション性を有するシートを貼着した２層構造となっていることを特徴とした請求項１に記載のポリッシング用砥具。
【請求項３】
基台の表裏にそれぞれ、基台を載置する面に対するすべり止め部材を有していることを特徴とした請求項１に記載のポリッシング用砥具。
【請求項４】
基台に対して研磨シートが交換可能とされていることを特徴とした請求項１に記載のポリッシング用砥具。
【考案の詳細な説明】
【技術分野】
【０００１】
本考案は、剃刀に使用するポリッシング（研磨）を行う砥具に関する。
【背景技術】
【０００２】
剃刀は、刃体を肌に対して傾斜させ、刃先を肌に接しながら移動させることで体毛（ひげ、産毛など）を剃るものであるが、快適な剃り具合を得るには、肌に対する刃の接触角度と刃先の切れ味および当たりの滑らかさが重要である。
肌に対する刃の適正な接触角度は熟練によって達成できる。また、接触角度を適正に維持するための工夫を施した剃刀もある。一例が特許文献１に見られる。これによれば、替刃体２を挟みつけて装填するホルダー３の両辺に、替刃体２の刃部２ａに沿って突条８を設け、突条８を肌に当て、該突条８を支点として替刃体２を傾斜させることで適正な接触角度を達成できるとしている。
【０００３】
替刃式剃刀においても同様であるが、新品の替刃の刃先はグラインダーによる刃付けの結果、非常に鋭利で切れ味のよいものとなっており、切れ味の点で問題は少ない。
しかし、新品の替刃の刃先は、微細に見るとグラインダーの砥粒による線状痕がそのまま刃先に到達したままとなっており、微視的に刃線が不規則かつ鋸刃状の鋭い凹凸となっている。
このため、新品の替刃をそのまま使用すると、切れ味はよくても鋸刃状の鋭い凹凸が肌を傷め、剃った後がひりついたり、出血したりする。
これを解決するため、従来、革砥が利用される。革砥は本来、刃面に付着した皮脂やその他の汚れを除去して剃り味を回復させるものであるが、前記のように、微視的に鋸刃となっている刃先を滑らかにするためにも効果がある。
【先行技術文献】
【特許文献】
【０００４】
【特許文献１】特開２００９−１１２４９２号公報
【考案の概要】
【考案が解決しようとする課題】
【０００５】
剃刀の切れ味や当たりの改善、あるいは替刃式剃刀における新規な替刃に見られる微視的に鋸刃となっている刃先は、革砥を利用して滑らかにすることができる。しかし、革砥は５０ｃｍくらいの長さがあり、使用時には一端を吊り下げた革砥の他端を左手で持ち、他方の手で剃刀を持って操作するので、作業に一定の空間が必要であり、また、ポリッシングの目的に応じて革砥の張り具合を調整する必要がある。
このため、剛肌、柔肌あるいは剃る部分が剛毛であるか産毛であるかによってポリッシング（研磨）を調整するのに熟練が必要である。
本考案は、初心者でも剃刀に適切なポリッシングを簡単に行え、また、作業に大きな空間を必要としない、革砥に替るポリッシング用砥具の提供を課題とする。
【課題を解決するための手段】
【０００６】
剃刀の刃をポリッシングするための砥具であって、基台と研磨シートを備える。
基台は表裏にそれぞれ凹面が形成されている。凹面はいずれも円筒形の一部（凹弧面という）であり、基台の長手方向に中央を低くしてそれぞれ形成されている。
表側の凹弧面を構成する円筒形の直径は、裏側の凹弧面を構成する円筒形の直径よりも小さい。すなわち、表の凹弧面は柔肌用の当たりを得るために深く形成されており、裏側の凹面は剛肌用の当たりを得るために表の柔肌用よりも浅くされている。
柔肌とは刃の擦過に対して比較的に弱い柔らかな肌を意味し、剛肌とは刃の擦過に対して肌荒れなどを起こしにくい比較的丈夫な肌を意味する。女性、幼児の肌は一般に柔肌であり、壮年男性の肌は一般に剛肌である。
【０００７】
研磨シートは表面が研磨面となるセーム皮などの柔軟なシートであり、
基台の表面側、裏面側に研磨シートをそれぞれの凹弧面に密着させて取り付ける。
研磨シートは、セーム皮の裏面にクッション性を有するシートを一体化した２層構造とすることがある。
基台の表面側、裏面側にそれぞれ、基台を載置する面に対するすべり止め部材を設けたり、研磨シートを基台に対して交換可能な構造にしたりすることがある。
【考案の効果】
【０００８】
基台は１４０×６０×３０ｍｍ程度の大きさで十分であり、また、カウンターなどに載置して使用するものであるから、革砥のように使用時に場所をとらない。
基台の表面側と裏面側に、柔肌用にポリッシングするための凹弧面と剛肌用にポリッシングするための凹弧面とを設けているので、表裏を使い分けて用途に応じた適切なポリッシングを行える。
これらの凹弧面は円筒形の一部として曲面の直径が決まっているので、革砥のように柔肌用、剛肌用として曲面を調節する熟練を要しない。
【図面の簡単な説明】
【０００９】
【図１】実施例の斜視図。
【図２】分解して示す基台の斜視図。
【図３】断面にて示す分解図。
【図４】図１のＡ−Ａ線に沿った縦断面図。
【図５】使用の状態を示した斜視図。
【考案を実施するための形態】
【００１０】
図１はポリッシング用砥具１の全体を示し、基台２と研磨シート３を備える。
基台２（図２）は、この実施例において木製であり、平面視で１４０×６０×３０ｍｍの直方体を基本としている。基台２は表面側のＡ面と裏面側のＢ面を有する。Ａ面には凹弧面４が、Ｂ面には凹弧面５が形成されている。凹弧面４，５はいずれも円筒形の一部であり、基台２の長手方向に中央を低くして、表面側と裏面側とで対称的に形成されている。
【００１１】
Ａ面側の凹弧面４を構成する円筒形の直径はこの実施例において３００ｍｍであって、Ｂ面側の凹弧面５を構成する円筒形の直径５００ｍｍよりも小さい。すなわち、Ａ面側の凹弧面４は柔肌用の当たりを得るために少し深く形成されており、Ｂ面側の凹弧面５は剛肌用の当たりを得るために柔肌用よりも浅くされている。
柔肌とは、刃の擦過に対して比較的に弱い柔らかな肌を意味し、剛肌とは、刃の擦過に対して肌荒れなどを起こしにくい比較的丈夫な肌を意味する。女性、幼児の肌は一般に柔肌であり、壮年男性の肌は一般に剛肌である。
【００１２】
Ａ面の両端部にはそれぞれ２個のブッシュ６，６（すべり止め部材）がねじ止めされ、Ｂ面の両端部にもそれぞれ２個のブッシュ７，７がねじ止めされている。ブッシュは硬質の合成ゴムで形成されている。
研磨シート３（図３）は、表面を研磨面とした柔軟なシート８と硬めの弾性を有するクッションシート９を一体とした２層構造となっている。この実施例において、柔軟シート８はセーム皮であり、クッションシート９は発泡ウレタンシートを採用している。
基台２の凹弧面４，５に研磨シート３を密着させて接着する。研磨シート３の幅は基台２の幅にほぼ等しく、長さはそれぞれ凹弧面４，５における弧の長さにほぼ等しい。
研磨シート３の特性はＡ面とＢ面とで変えてもよいが、通常は、同じ特性のものを使用する。
【００１３】
図５は使用状態を示したものである。
剃刀は付着している汚れや油分を拭き取っておく。
剃刀の使用対象が柔肌であるか剛肌であるかを見極めてポリッシング用砥具１のＡ面、Ｂ面を選定する。
ポリッシング用砥具１を作業者に対して前後方向に設置し、剃刀１０をその刃部１１を手前とし、右手で剃刀１０の柄を持ち刃部１１に左手の指を軽く当てて刃部１１を研磨シート３に密着させる。そして、手前から前方へ軽く押すようにして移動させる。
作業中、基台２は前後でブッシュ６,７のいずれかが載置面に接触するので、作業中にポリッシング砥具１が前後に滑ることがない。
【００１４】
この操作を一方向で３〜４回繰り返すことで、刃部１１の微視的な鋸刃状態を滑らかな刃線にすることができる。なお、替刃が一枚刃の場合、Ａ面を使用すると鋭利さにおいてＢより劣るが肌への当たりをやわらかくできる。このため、女性や幼児の柔肌に適した刃部１１となる。これに対してＢ面は刃先が肌に対して鋭角に接し、切れ味の鋭い当たりとなるので、男性などの剛肌に適した当たり（剃り）となる。なお、ガード付の刃とか多重刃はＢ面を使用する。ガードあるいはポリッシング用ホルダーが存在すると、これらと刃先までの段差および距離がセーム皮と刃先を密着させるのに有効であり、最も適した角度でポリッシングできる。
ポリッシングできる剃刀１０は種々であるが、特に替刃式剃刀の新品替刃のポリッシングは、標準刃、多重刃のいずれの場合にも効果がある。
【００１５】
図５において、符号１２は刷毛、同１３は円筒型スティック、同１４は研磨剤である。  研磨剤１４は固形でセーム皮に塗布すると粉末状になる。
ポリッシング砥具１は、使用前に研磨剤１４を塗布することがある。この場合、まず、刷毛１２でセーム皮表面をブラッシングし、研磨材１４をセーム皮に塗布する。そして、表面に浮いた磨材粉末をスティック１３でセーム皮になじませる。
なお、ポリッシング後の替刃やガード刃の洗浄は、研磨剤に酸化クロムが配合されていない場合はふき取り程度でよく、基本的に必要がない。
【００１６】
以上、実施例の一つについて説明した。
基台２は直方体を基本としているが、平面視において楕円形や小判形の立体であってもよい。
基台２は、木材以外に合成樹脂から成形されたものであってもよい。
研磨シート３にはセーム皮に限らず、砥紙、砥布、合成皮革なども使用できる。
【符号の説明】
【００１７】
１    ポリッシング用砥具
２    基台
３    研磨シート
４    凹弧面（Ａ面側）
５    凹弧面（Ｂ面側）
６    ブッシュ（Ａ面）
７    ブッシュ（Ｂ面）
８    柔軟シート
９    クッションシート
１０  剃刀
１１  刃部
１２  刷毛
１３  円筒型スティック
１４  研磨剤
【図１】
0003206688.tif 000003
【図２】
0003206688.tif 000004
【図３】
0003206688.tif 000005
【図４】
0003206688.tif 000006
【図５】
0003206688.tif 000007